(57)【要約】【課題】  レンズアレイが並列配置されたレンズシートと、当該レンズシートに対応するレンズ対応画像とにより構成された画像表示シートを有し、組立・分解可能に構成された組立式回転画像表示体を提供する。【解決手段】  画像表示シート１０ａ、１０ｂ、１０ｃ、１０ｄを着脱可能に筒状に保持して胴部１１を成す保持部としての保持部材１２ａ、１２ｂ、１２ｃ、１２ｄと、胴部１１の両端の開口を着脱可能に閉塞する一対の閉塞部１３ａ、１３ｂと、一方の閉塞部１３ｂから他方の閉塞部１３ａにわたって胴部１１内に取り外し可能に貫通する回転軸と、回転軸に回転力を付与し、かつ、起立・傾倒可能な駆動部１８を具備する支持体１７と、回転軸の一端を軸支して、胴部１１本体を回転可能に成す軸受部材１６と、を有する。【選択図】図１
2019203969.tif 000002
【特許請求の範囲】
【請求項１】
レンズアレイが並列配置されたレンズシートと、当該レンズシートに対応するレンズ対応画像とにより構成された画像表示シートを有し、組立・分解可能に構成された組立式回転画像表示体であって、
前記画像表示シートを着脱可能に筒状に保持して胴部を成す保持部と、
前記胴部の両端の開口を着脱可能に閉塞する一対の閉塞部と、
一方の前記閉塞部から他方の前記閉塞部にわたって前記胴部内に取り外し可能に貫通する回転軸と、
前記回転軸に回転力を付与し、かつ、起立・傾倒可能な駆動部を具備する支持体と、
前記回転軸の一端を軸支して、前記胴部本体を回転可能に成す軸受部材と、を有し、
前記組立式回転画像表示体を使用する際に、
前記画像表示シート、前記保持部、前記閉塞部、前記回転軸により前記胴部を構成し、
前記軸受部材を支持体に立設し、前記胴部に貫通された前記回転軸の一端を軸支させ、
前記駆動部を立ち上げて前記回転軸の他端を連結して前記回転軸に回転力を付与することを特徴とする組立式回転画像表示体。
【請求項２】
前記画像表示シート、前記保持部、前記閉塞部、前記回転軸及び前記軸受部材は、板状又は棒状であることを特徴とする請求項１に記載の組立式回転画像表示体。
【請求項３】
前記支持体は直方体状又は立方体状を成し、
前記画像表示シート、前記保持部、前記閉塞部、前記回転軸及び前記軸受部材の最も厚い部分の厚み寸法は、前記支持体の幅寸法、高さ寸法、奥行き寸法のいずれよりも小さい寸法であることを特徴とする請求項１又は２に記載の組立式回転画像表示体。
【請求項４】
前記支持体は、内部に収納部を有し、
前記画像表示シート、前記保持部、前記閉塞部、前記回転軸及び前記軸受部材を前記収納部に収納可能に構成することを特徴とする請求項１乃至３のいずれか一項に記載の組立式回転画像表示体。
【請求項５】
各前記閉塞部の中央に嵌合される嵌合部であって、前記閉塞部により前記胴部の両端を閉塞した状態で、一方の前記閉塞部の前記嵌合部から他方の前記閉塞部の前記嵌合部にわたって前記胴部内に回転軸を貫通させる前記嵌合部を有し、
前記組立式回転画像表示体を使用する際には、
前記保持部により前記画像表示シートを筒状に保持して前記胴部を構成し、
各前記閉塞部により前記胴部の両端を閉塞し、
各前記閉塞部に、前記回転軸と共に各前記嵌合部を嵌め合わせて、前記胴部内に当該回転軸を貫通させ、
前記軸受部材を前記支持体に立設し、
前記駆動部を立ち上げて、当該駆動部と前記軸受部材により前記回転軸を軸支して前記胴部を回転可能に構成することを特徴とする請求項１乃至４のいずれか一項に記載の組立式回転画像表示体。
【請求項６】
前記保持部は、複数の前記画像表示シートを角筒状に保持して前記胴部１１を成して構成されることを特徴とする請求項１乃至５のいずれか一項に記載の組立式回転画像表示体。
【請求項７】
前記画像表示シートは可撓性を有し、前記組立式回転画像表示体を組み立てた状態で、取り外し交換可能に構成されることを特徴とする請求項１乃至６のいずれか一項に記載の組立式回転画像表示体。
【発明の詳細な説明】
【技術分野】
【０００１】
本発明は、レンズアレイが並列配置されたレンズシートと、当該レンズシートに対応するレンズ対応画像とにより構成された画像表示シートを有し、組立・分解可能に構成された組立式回転画像表示体に関する。
【背景技術】
【０００２】
チェンジング、ムービングなどの光学効果画像を観察するための表示ディスプレイとしては、例えば片面全体にレンチキュラーレンズ加工が施された板材と、レンチキュラーレンズ対応の絵柄が印刷されたカードを貼り合わせたものがある。このように構成された表示ディスプレイを、例えば壁に掛けて正面から見ると、レンチキュラーレンズ加工により観察者の視線移動に応じて絵柄が動くように見えることにより広告効果を高めることができるものがある。一方で、表示ディスプレイ自体をモーター等で動かすことにより、観察者の視認する角度を変化させて観察者に絵柄が動くように見せるものもある（特許文献１）。
【先行技術文献】
【特許文献】
【０００３】
【特許文献１】特開２００６−２３５４５８号公報
【発明の概要】
【発明が解決しようとする課題】
【０００４】
観察者の視線の移動に頼らず、絵柄が動くように見せるためには、視認角度を変化させる必要があり、外的動力による回転駆動などが提案されている。しかしこれらは１５ｃｍ定規の大きさなど、小型のものに限定されていたり、店舗に据え付ける据え付けタイプのものには適応するものの、一般的なはがきサイズなど、人が視認するのに好適な大きさのものはなかった。これは、はがきサイズを前提に４面で構成すると、モーター、電源供給部、表示ディスプレイ部などを備えてネジや接着剤を用いて表示ディスプレイを構成しなければならず、回転体は大型となる。言い換えれば、表示ディスプレイを使用時にのみ組み立て、使用しない時には分解して収納する、ということは困難であり、可搬性、収納性がないものであった。また、従来の表示ディスプレイは、ネジ止めや接着剤による固定がなされたり、アルミニウム等の金属で溶着形成されていたため、分解できないものであった。そのため、従来のモーター付きの表示ディスプレイは、大きさの点で収納時、搬送時に嵩張るものであった。
【０００５】
本発明の目的は、上記問題等に鑑みて、使用の際に容易に組み立てることができる組立式回転画像表示体を提供することにある。
【課題を解決するための手段】
【０００６】
本発明の組立式回転画像表示体は、レンズアレイが並列配置されたレンズシートと、当該レンズシートに対応するレンズ対応画像とにより構成された画像表示シートを有し、組立・分解可能に構成された組立式回転画像表示体であって、前記画像表示シートを着脱可能に筒状に保持して胴部を成す保持部と、前記胴部の両端の開口を着脱可能に閉塞する一対の閉塞部と、一方の前記閉塞部から他方の前記閉塞部にわたって前記胴部内に取り外し可能に貫通する回転軸と、前記回転軸に回転力を付与し、かつ、起立・傾倒可能な駆動部を具備する支持体と、前記回転軸の一端を軸支して、前記胴部本体を回転可能に成す軸受部材と、を有し、前記組立式回転画像表示体を使用する際に、前記画像表示シート、前記保持部、前記閉塞部、前記回転軸により前記胴部を構成し、前記軸受部材を支持体に立設し、前記胴部に貫通された前記回転軸の一端を軸支させ、前記駆動部を立ち上げて前記回転軸の他端を連結して前記回転軸に回転力を付与することを特徴とする。
【０００７】
前記画像表示シート、前記保持部、前記閉塞部、前記回転軸及び前記軸受部材は、板状又は棒状でもよい。
【０００８】
前記支持体は直方体状又は立方体状を成し、前記画像表示シート、前記保持部、前記閉塞部、前記回転軸及び前記軸受部材の最も厚い部分の厚み寸法は、前記支持体の幅寸法、高さ寸法、奥行き寸法のいずれよりも小さい寸法で形成されてもよい。
【０００９】
前記支持体は、内部に収納部を有し、前記画像表示シート、前記保持部、前記閉塞部、前記回転軸及び前記軸受部材を前記収納部に収納可能に構成してもよい。
【００１０】
各前記閉塞部の中央に嵌合される嵌合部であって、前記閉塞部により前記胴部の両端を閉塞した状態で、一方の前記閉塞部の前記嵌合部から他方の前記閉塞部の前記嵌合部にわたって前記胴部内に回転軸を貫通させる前記嵌合部を有し、前記組立式回転画像表示体を使用する際には、前記保持部により前記画像表示シートを筒状に保持して前記胴部を構成し、各前記閉塞部により前記胴部の両端を閉塞し、各前記閉塞部に、前記回転軸と共に各前記嵌合部を嵌め合わせて、前記胴部内に当該回転軸を貫通させ、前記軸受部材を前記支持体に立設し、前記駆動部を立ち上げて、当該駆動部と前記軸受部材により前記回転軸を軸支して前記胴部を回転可能に構成してもよい。
【００１１】
前記保持部は、複数の前記画像表示シートを角筒状に保持して前記胴部を成して構成してもよい。
【００１２】
前記画像表示シートは可撓性を有し、前記組立式回転画像表示体を組み立てた状態で、取り外し交換可能に構成してもよい。
【発明の効果】
【００１３】
本発明の組立式回転画像表示体によれば、各部材を取り外し自在に構成したので、使用の際にのみ組立てて使用することができる。使用しないときには分解して収納することができる。また、観察者側が所定方向に目を動かさなくても、レンチキュラーによる動く画像を観察できるため、動く画像を簡単に観察することができる。特に、店舗の広告物としてより有用である。
【図面の簡単な説明】
【００１４】
【図１】本発明の組立式回転画像表示体の使用状態を示す外観図である。
【図２】組立式回転画像表示体１の胴部１１を含む要部分解図である。
【図３】組立式回転画像表示体１の要部の組立て後の状態を示す説明図である。
【図４】形状保持体１９の説明図である。
【図５】形状保持体１９の組立て後の外観図である。
【図６】回転軸１５を胴部１１に貫通させる様子を示す説明図である。
【図７】嵌合部１４ａの説明図である。
【図８】回転軸１５の要部拡大図である。
【図９】支持体１７の外観説明図である。
【図１０】駆動部１８を立ち上げた際の外観説明図である。
【図１１】駆動部１８の起立・傾倒の様子を示す概略説明図である。
【図１２】軸受部材１６の説明図である。
【図１３】軸受部材１６の説明図である。
【図１４】胴部１１を支持体１７に取り付ける様子を示す説明図である。
【図１５】軸受部材１６による回転軸１５の軸支の様子を示す説明図である。
【図１６】軸受部材１６による回転軸１５の軸支の様子を示す説明図である。
【図１７】支持体１７の引き出し収納部１７ｄの説明図である。
【図１８】支持体１７の引き出し収納部１７ｄの説明図である。
【図１９】組立式回転画像表示体の他の使用状態を示す説明図である。
【図２０】他の実施例による組立式回転画像表示体の要部の組立て後の状態を示す説明図である。
【発明を実施するための形態】
【００１５】
本発明の実施形態について、図面を参照して説明する。ただし、以下に説明する実施形態は、あくまでも例示であり、以下に明示しない種々の変形や技術の適用を排除する意図はない。即ち、本発明は、その効果を奏する限りにおいて種々変形(各実施例を組み合わせる等)して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００１６】
図１は、本発明の組立式回転画像表示体の使用状態を示す外観図である。組立式回転画像表示体１は、レンズアレイが並列配置されたレンズシートと、当該レンズシートに対応するレンズ対応画像とにより構成された画像表示シート１０ａ、１０ｂ、１０ｃ、１０ｄを有し、組立・分解可能に構成される。
【００１７】
本実施形態の各画像表示シート１０ａ、１０ｂ、１０ｃ、１０ｄは、半円筒形状のシリンドリカルレンズアレイが並列配置されたレンズシートの一例としてのレンチキュラーシートと、シリンドリカルレンズの表面とは反対側の面にレンチキュラーシートに対応するレンズ対応画像としてのレンチキュラー画像が配置されて構成される。レンチキュラーシートによる画像表示シートの構成は、従来公知の構成のため、説明を省略する。各図において、画像表示シート１０ａ、１０ｂ、１０ｃ、１０ｄに表される画像は図示を省略している。
【００１８】
図２は組立式回転画像表示体１の胴部１１を含む要部分解図である。図３は組立式回転画像表示体１の要部の組立て後の状態を示す説明図である。
本実施形態による組立式回転画像表示体１は、画像表示シート１０ａ、１０ｂ、１０ｃ、１０ｄを着脱可能に筒状（例えば、角筒状）に保持して胴部１１を成す保持部としての保持部材１２ａ、１２ｂ、１２ｃ、１２ｄと、胴部１１の両端の開口を着脱可能に閉塞する板状の1対の閉塞部１３ａ、１３ｂ（例：正方形の板状）と、一方の閉塞部１３ｂから他方の閉塞部１３ａにわたって胴部１１内に取り外し可能に貫通する回転軸１５と、回転軸１５に回転力を付与し、かつ、起立・傾倒可能な駆動部１８を具備する支持体１７と、回転軸１５の一端を軸支して、胴部１１本体を回転可能に成す軸受部材１６と、を有する。そして、組立式回転画像表示体１を使用する際に、画像表示シート１０ａ、１０ｂ、１０ｃ、１０ｄ、保持部材１２ａ、１２ｂ、１２ｃ、１２ｄ、閉塞部１３ａ、１３ｂ、回転軸１５により胴部１１を構成し、軸受部材１６を支持体１７に立設し、胴部１１に貫通された回転軸１５の一端を軸支させ、駆動部１８を立ち上げて回転軸１５の他端を連結して回転軸１５に回転力を付与するよう構成する。
【００１９】
胴部１１を組み立てる際、保持部としての保持部材１２ａ、１２ｂ、１２ｃ、１２ｄにより、画像表示シート１０ａ、１０ｂ、１０ｃ、１０ｄを角筒状に保持して胴部１１を構成する。具体的には、使用する際に、画像表示シート１０ａ、１０ｂ、１０ｃ、１０ｄの各辺同士を連結保持して胴部１１と成す。胴部１１を分解する際には、画像表示シート１０ａ、１０ｂ、１０ｃ、１０ｄは、容易に分解して取り外すことができる。なお、本実施形態では、折り畳み可能な形状保持体１９を用いて胴部１１を補強している。
【００２０】
図４及び図５は、形状保持体１９の説明図である。
形状保持体１９は、爪部１９ａ及び溝部１９ｂを有する。図５は、形状保持体１９の組立て後の外観図であり、同図に示すように、使用の際は、折り曲げ線１９ｃで折り曲げて、溝部１９ｂに爪部１９ａ挿し込んで係止し、角筒状を構成する。未使用時には、各折り曲げ線１９ｃで折り畳んでコンパクトな板状として収納することができる。なお、胴部１１を回転させた際に、画像表示シート１０ａ、１０ｂ、１０ｃ、１０ｄと保持部材１２ａ、１２ｂ、１２ｃ、１２ｄだけで胴部１１が所望の強度を有して所望の形状を保持することができる場合には、形状保持体１９はなくともよい。
【００２１】
閉塞部１３ａ、１３ｂは、一対の板状体である。胴部１１を組み立てる際、胴部１１の両端の開口を閉塞する。胴部１１を分解する際には、閉塞部１３ａ、１３ｂは、容易に分解して取り外すことができる。
【００２２】
回転軸１５は、胴部１１の回転軸となる。胴部１１を組み立てる際、回転軸１５は、胴部１１の一方の閉塞部１３ｂから他方の閉塞部１３ａにわたって胴部１１内に貫通される。閉塞部１３ａの中央に嵌合部１４ａを嵌合し、閉塞部１３ｂの中央に１４ｂを嵌合して回転軸１５を貫通させる。
【００２３】
図６は、回転軸１５を胴部１１に貫通させる様子を示す説明図である。図７は、嵌合部１４ａの説明図であり、閉塞部１３ａに嵌合部１４ａを嵌合する様子を胴部１１の内部から観察した要部拡大図である。
【００２４】
閉塞部１３ａ、１３ｂにより胴部１１の両端を閉塞した状態で、一方の閉塞部１３ｂの嵌合部１４ｂから他方の閉塞部１３ａの嵌合部１４ａにわたって胴部１１内に回転軸１５を貫通させて、回転軸１５を胴部１１と連結させる。
【００２５】
図７の左側の図が嵌合前を表し、右側の図が嵌合後を表す。閉塞部１３ａの被嵌合部１３ａ’に、嵌合部１４ａを嵌め合わせる（図７左）。そして、当該嵌合部１４ａを図７中矢印方向に回転させて、嵌合部１４ａの嵌合爪１４ａ’を被嵌合部１３ａ’に引っ掛けて嵌合する（図７右、図６）。
【００２６】
他方、閉塞部１３ｂ側は、嵌合部１４ｂの中央に回転軸１５を通した状態（図６）で、嵌合部１４ｂを閉塞部１３ｂの被嵌合部１３ｂ’（図２）に嵌合させる。閉塞部１３ｂと嵌合部１４ｂの嵌合の手順は閉塞部１３ａに嵌合部１４ａを嵌合する際と同様である。
【００２７】
図８は、回転軸１５の要部拡大図である。
本実施形態の回転軸１５は、一端を延設する延設部１５ａを有する。図８は、当該延設部１５ａ側から回転軸１５を軸方向に見た図である。
回転軸１５は、嵌合部１４ａに固定される。具体的には、図６乃至図８に示すように、回転軸１５は、回転軸１５の被嵌合部１５ｂが嵌合部１４ａの嵌合爪１４ａ’’と嵌合することにより、嵌合部１４ａに固定される。
【００２８】
そして、図３に示すように、回転軸１５の両端が胴部１１から突出し、当該突出した一端が、軸受部材１６に軸支され、他端が駆動部１８から回転力を受ける。回転軸１５が嵌合部１４ａと固定されることにより、回転軸１５に受けた回転力が胴部１１全体に付与され、胴部１１を回転させることができる。
胴部１１を分解する際には、回転軸１５、嵌合部１４ａ、１４ｂ等、各部材は容易に分解して取り外すことができる。
【００２９】
なお、本実施形態では、回転軸１５と嵌合部１４ａとが固定されるよう構成したが、回転軸１５は、胴部１１を成すいずれかの部材と固定されればよい。また、回転軸１５の一端を延設し、この延設された延設部１５ａが、胴部１１から突出して軸受部材１６に軸支されるよう構成したが、延設部１５ａは回転軸１５と一体に構成してもよい。
以上のように、画像表示シート１０ａ、１０ｂ、１０ｃ、１０ｄ等により胴部１１を構成する。
【００３０】
図９は、支持体１７の外観説明図である。同図は組立前の支持体１７である。
支持体１７は、回転軸１５に回転力を付与する駆動部１８を具備する。駆動部１８は起立・傾倒可能に構成されている。図１０は、駆動部１８を立ち上げた際の外観説明図である。駆動部１８の起立時における正面、すなわち、組立式回転画像表示体１を組み立てて使用する際の駆動部１８正面には、外から自由に操作できるモーターのオン・オフ切り替え及びトルク切り替え等のためのスイッチ１８ａが取り付けられている。
【００３１】
駆動部１８の内部には駆動装置が組み込まれており、ギアモータ、取り外しが自由な乾電池又は充電用電池が収納されている。そして、スイッチ１８ａにより“オフ”、“オン（低速）”、“オン（高速）”を切り替えることができる。レンチキュラーによる画像変化を観察するためには回転速度はゆっくりでよく、例えば、低速の場合、１回転するのに数秒〜十数秒かかる程度でよい。高速の場合でも１回転するのに数秒かかる程度でよい。
【００３２】
駆動部１８にカウンターを設けて回転回数を自由に設定できるよう構成してもよく、或いは、タイマーを設けて自動で回転停止／回転開始するよう構成してもよい。さらに、回転方向を切り替えることができるよう構成してもよい。また、可変抵抗により段階的に回転速度を切り替えることができるよう構成してもよい。また、ＰＷＭ（Pulse Width Modulation）信号により電圧制御し、回転速度を制御するよう構成してもよい。さらに、自動で回転速度を加速又は減速するよう構成してもよい。
組立式回転画像表示体１を使用する際には、駆動部１８を立ち上げて、回転軸１５の端部１５ｃを駆動部１８の連結部１８ｂに連結する。
【００３３】
図１１は、駆動部１８の起立・傾倒の様子を示す概略説明図である。
支持体１７は駆動部１８を支える支持部１７ｃを備える。図１１中上部図に示すように、組立式回転画像表示体１を使用する際には、駆動部１８を立ち上げ、支持体１７内に収納されていた支持部１７ｃを摺動させて引出し、立ち上げた駆動部１８を支持部１７ｃが支持する。
【００３４】
そして、組立式回転画像表示体１を収納する際には、図１１中下部図に示すように、支持部１７ｃを摺動させて支持体１７内に収納して駆動部１８を倒す。
以上のように、駆動部１８は容易に起立・傾倒可能に構成されている。特に、支持部１７ｃにより、起立時・傾倒時共に駆動部１８をがたつきなく安定的に支持することができる。
【００３５】
図１２及び図１３は、軸受部材１６の説明図である。
支持体１７は、軸受部材１６を取り外し可能に係止させる係止部としての孔１７ａ、１７ｂを有する。軸受部材１６は、図中下方に挿し込み部１６ａが具備されている。当該挿し込み部１６ａを支持体１７に設けた孔１７ａ又は１７ｂに挿し込み係止して、軸受部材１６を支持体１７に立設する。
【００３６】
図１２及び図１３の例では、孔１７ａに軸受部材１６の挿し込み部１６ａを取り付けた。胴部１１のサイズが異なる場合には、孔１７ａとは位置が異なる孔１７ｂに挿し込み部１６ａを差し込み係止してもよい。つまり、胴部１１のサイズに応じて、支持体１７の所望の位置に孔を設けることができる。
これにより、各種サイズの胴部１１に対応することができる。すなわち、各種サイズの画像表示シートに対応することができる。
組立式回転画像表示体１を収納する際には、軸受部材１６の差し込み部１６ａを孔１７ａ又は１７ｂから取り外せばよい。
【００３７】
図１４は、胴部１１を支持体１７に取り付ける様子を示す説明図である。
先ず、軸受部材１６を支持体１７に立設し、駆動部１８を立ち上げる。そして、駆動部１８と軸受部材１６により回転軸１５を軸支して胴部１１を回転可能に構成する。
回転軸１５の端部１５ｃは、断面が多角形に形成されており（図６等）、同様に多角形に形成された駆動部１８の連結部１８ｂ（図１４等）に連結される。
【００３８】
図１５及び図１６は、軸受部材１６による回転軸１５の軸支の様子を示す説明図である。回転軸１５の一端を軸受部材１６の軸受部１６ｂに載置する（図１５）。次に、ピン１６ｄを中心に、軸受部材１６に具備する押さえ片１６ｃを回転させて、軸受部１６ｂに載置された回転軸１５を図中上部から押さえる（図１６）。以上により押さえ片１６ｃの重量で回転軸１５を軸受部１６ｂにずれることなく、しかも、胴部１１を回転可能に軸支することができる。
そして、駆動部１８の電源をオンとすることにより連結部１８ｂが回転し、その回転力が回転軸１５に付与され、胴部１１が回転する。
【００３９】
組立式回転画像表示体１を収納する際には、押さえ片１６ｃを回転させて回転軸１５の端部を開放する。本実施形態では回転軸１５の延設部１５ａを開放する。また、回転軸１５の端部１５ｃを連結部１８ｂから引き抜いて胴部１１を取り外す。
【００４０】
本実施形態による組立式回転画像表示体１によれば、使用の際に容易に組み立てることができる組立式回転画像表示体１を実現できる。特に、本実施形態では、複数（例えば、ｎ枚）の画像表示シート１０ａ、１０ｂ、１０ｃ、１０ｄ（ｎ＝４）を角筒状に保持して胴部１１を構成した例について説明した。例えば、画像表示シートの１つの面（例えば、画像表示シート１０ａ）において、複数（例えば、ｍ枚）の連続する画像に基づいて形成されたレンチキュラー画像とレンチキュラーレンズにより、連続的な画像変化を観察することができる。
【００４１】
さらに、他の面（例えば、画像表示シート１０ｂ）の画像がそれに続くようなものであれば、４面連続した画像にすることもできる。このように複数の画像表示シートによって３面（例えば、画像表示シート１０ｃ）、４面（例えば、画像表示シート１０ｄ）と続くと連続画像が相当数（例えば、（ｎ×ｍ）枚、本実施形態では（４×ｍ）枚）になり、１つの物語を楽しむことも可能になる。
【００４２】
特に、画像の変化を“見る者自身による目の動き”に依存するのではなく駆動部１８により一定の速度で回転させることができるため、連続画像を所望の速度で観察者に対して見せることができる。
【００４３】
さらに、駆動部１８により同一方向に連続して回転させることができるため画像が逆方向に戻ることなく連続画像を見せることができる。
【００４４】
また、胴部１１を構成する各部材を板状又は棒状とすることが好ましい。具体的には、画像表示シート１０ａ、１０ｂ、１０ｃ、１０ｄ、保持部材１２ａ、１２ｂ、１２ｃ、１２ｄ、閉塞部１３ａ、１３ｂ、回転軸１５及び軸受部材１６等は板状又は棒状に形成することが好ましい。これによれば、収納時によりコンパクトに収納することができる。
【００４５】
さらに、支持体１７は直方体状又は立方体状を成すことが好ましい。支持体１７は組立式回転画像表示体１の台座として機能する。例えば、各図に示すように支持体１７をＢ５サイズ等紙の工業規格サイズと同一にすれば、使用しないときには、本棚、収納ラック等に支持体１７を立てかけて収納することができ、より扱いやすくなる。
【００４６】
さらに、支持体１７を厚みのある直方体状又は立方体状とすれば、内部が空洞となり、収納空間が形成されることになる。この収納空間に胴部１１を構成する各部材を収納することができる。具体的には、画像表示シート１０ａ、１０ｂ、１０ｃ、１０ｄ、保持部材１２ａ、１２ｂ、１２ｃ、１２ｄ、閉塞部１３ａ、１３ｂ、回転軸１５及び軸受部材１６の最も厚い部分の厚み寸法は、支持体１７の幅寸法、高さ寸法、奥行き寸法のいずれよりも小さい寸法となるよう構成する。
これによれば、各部材を支持体１７の内部に形成された収納空間に収納可能になる。
【００４７】
さらに、各部材を支持体１７内部の収納空間に収納しやすいよう、引き出し型の収納部を形成してもよい。図１７及び図１８は支持体１７の引き出し収納部１７ｄの説明図である。
引き出し収納部１７ｄは、本発明の収納部の一例であり、支持体１７の収納空間に摺動自在に挿入可能に構成する。そして、引き出し収納部１７ｄ内に、画像表示シート１０ａ、１０ｂ、１０ｃ、１０ｄ、保持部材１２ａ、１２ｂ、１２ｃ、１２ｄ、閉塞部１３ａ、１３ｂ、回転軸１５及び軸受部材１６等を収納すれば、組立式回転画像表示体１を本格的にコンパクトに収納することができる。具体的には、組立式回転画像表示体１を支持体１７のサイズでコンパクトに収納することが可能になる。
【００４８】
さらに、本実施形態による画像表示シート１０ａ、１０ｂ、１０ｃ、１０ｄは、紙又はフィルム等の可撓性を有する画像形成媒体にレンチキュラー画像を形成し、レンチキュラーシートと重ね合わせて構成される。或いは、レンチキュラーシートのシリンドリカルレンズが配列されている面と反対側の面に画像が形成されて構成される。画像表示シート１０ａ、１０ｂ、１０ｃ、１０ｄは、可撓性を有するため、組立式回転画像表示体１を組み立てた状態（図１）で、画像表示シート１０ａ、１０ｂ、１０ｃ、１０ｄを取り外し交換可能に構成できる。
【００４９】
画像表示シート１０ａ、１０ｂ、１０ｃ、１０ｄを交換する際には、交換したい画像表示シートを撓ませて、保持部材１２ａ、１２ｂ、１２ｃ、１２ｄから取り外し、他の画像表示シート１０ａ、１０ｂ、１０ｃ、１０ｄを同様に撓ませて保持部材１２ａ、１２ｂ、１２ｃ、１２ｄに嵌め込む。特に、保持部材１２ａ、１２ｂ、１２ｃ、１２ｄを、閉塞部１３ａ及び１３ｂと連結するよう組み立てれば、組立式回転画像表示体１を組み立てた状態のまま、より安定的に画像表示シートを交換できる。
このように、いろいろな種類の画像表示シートの組を用意して、容易に画像表示シートを交換することができるようになる。画像表示シートの交換が容易になれば、いろいろな種類の画像表示シートセットの販売・流通させることが比較的容易にできるようになる。
【００５０】
本実施形態では、複数の画像表示シートを角筒状に保持して胴部１１を構成した例について説明したが、単数又は複数の画像表示シートの辺同士を円筒状に保持して胴部１１を形成してもよい。
【００５１】
以上説明したように、組立式回転画像表示体１によれば、各部材を取り外し自在に構成したので、使用の際にのみ組立てて使用することができる。使用しないときには分解して収納することができる。
また、観察者側が所定方向に目を動かさなくても、レンチキュラーによる動く画像を観察できるため、動く画像を簡単に観察することができる。特に、店舗の広告物としてより有用である。
画面が動くだけでなく、組立式回転画像表示体１の胴部１１本体が回転するため、より一層人々の注意を惹きつけることができる。
さらに、各部材は木材・金属材・プラスチックいずれの材料でも構成できるが、特に、MDFその他の木材や、プラスチック複合材等を用いれば、比較的安価に製造できる。
【００５２】
図１９は、組立式回転画像表示体１の他の使用状態を示す説明図である。なお、同図において、胴部１１及び軸受部材１６等は図示を省略している。同図に示すように、回転軸１５を地面に対して垂直にして、すなわち、組立式回転画像表示体１を直立させた状態で使用することもできる。同図の例では、組立式回転画像表示体１を直立させるために駆動部１８を支えとして利用している。
上述した実施形態では、支持体１７上で胴部１１が、いわば、上から下へ（又は下から上へ）と回転したが、図１９の例では、胴部１１が、いわば、右から左へ（又は左から右へ）と回転するよう構成できる。多様な画像変化を楽しむことができ有用である。
【００５３】
図２０は、他の実施例による組立式回転画像表示体の要部の組立て後の状態を示す説明図である。
上述した実施形態では、保持部材１２ａ、１２ｂ、１２ｃ、１２ｄにより胴部１１を形成したが、保持部材１２ａ、１２ｂ、１２ｃ、１２ｄによる画像表示シート１０ａ、１０ｂ、１０ｃ、１０ｄを着脱可能に筒状に保持する役割を、閉塞部１３ａ、１３ｂと一体に構成した例である。
【００５４】
閉塞部１３ａに画像表示シート１０ａ、１０ｂ、１０ｃ、１０ｄを保持するための保持部１３ａ’を備え、同様に、閉塞部１３ｂに画像表示シート１２ａ、１２ｂ、１２ｃ、１２ｄを保持するための保持部１３ｂ’を備える。
【００５５】
保持部１３ａ’、１３ｂ’は、その長さができるだけ長いほうが画像表示シート１０ａ、１０ｂ、１０ｃ、１０ｄの保持力が高くなる。一方で、長すぎると、支持体１７の引き出し収納部１７ｄ等の内部収納空間に収納できなくなる。よって、保持部１３ａ’、１３ｂ’は、内部収納空間に収納できる範囲で可能な限り長いサイズで閉塞部１３ａ、１３ｂに具備されることが好ましい。閉塞部１３ａの最も厚い部分の厚み寸法は、支持体１７の幅寸法、高さ寸法、奥行き寸法のいずれよりも小さい寸法であることが好ましい。
【００５６】
本発明の適用範囲は上記実施形態に限定されることはない。本発明は、レンズアレイが並列配置されたレンズシートと、当該レンズシートに対応するレンズ対応画像とにより構成された画像表示シートを有し、組立・分解可能に構成された組立式回転画像表示体に対し、広く適用することができる。
【符号の説明】
【００５７】
１・・・組立式画像表示体
１０ａ、１０ｂ、１０ｃ、１０ｄ・・・画像シート
１１・・・胴部
１２ａ、１２ｂ、１２ｃ、１２ｄ・・・保持部材（保持部）
１３ａ、１３ｂ・・・閉塞部
１３ａ’、１３ｂ’・・・保持部
１４ａ、１４ｂ・・・嵌合部
１５・・・回転軸
１６・・・軸受部材
１７・・・支持体
１７ｄ・・・収納部
１８・・・駆動部
【図１】
2019203969.tif 000003
【図２】
2019203969.tif 000004
【図３】
2019203969.tif 000005
【図４】
2019203969.tif 000006
【図５】
2019203969.tif 000007
【図６】
2019203969.tif 000008
【図７】
2019203969.tif 000009
【図８】
2019203969.tif 000010
【図９】
2019203969.tif 000011
【図１０】
2019203969.tif 000012
【図１１】
2019203969.tif 000013
【図１２】
2019203969.tif 000014
【図１３】
2019203969.tif 000015
【図１４】
2019203969.tif 000016
【図１５】
2019203969.tif 000017
【図１６】
2019203969.tif 000018
【図１７】
2019203969.tif 000019
【図１８】
2019203969.tif 000020
【図１９】
2019203969.tif 000021
【図２０】
2019203969.tif 000022